(57)【要約】【課題】  収容凹部内の台所用品が、揺動されて前面板等に衝突することで起きる衝撃音の発生を防ぐことができる前扉の収納構造を提供すること。【解決手段】  収容凹部７を前方から所要角度開閉できる開閉扉５を有する収納構造であって、開閉扉５には、台所用品１４を吊持するためのフック１３が形成され、フック１３の下方位置における開閉扉５には緩衝部材１５が設けられ、台所用品１４の一部が緩衝部材１５に当接可能になっている。【選択図】  図１
2005287694.tif 000002
【特許請求の範囲】
【請求項１】
収容凹部を前方から所要角度開閉できる開閉扉を有する収納構造であって、前記開閉扉には、台所用品等を吊持するためのフックが形成され、前記フックの下方位置における前記開閉扉には緩衝部材が設けられ、台所用品等の一部が前記緩衝部材に当接可能になっていることを特徴とする前扉の収納構造。
【請求項２】
前方に引出し可能な引出しの前面部に収容凹部が形成され、前記収容凹部を前方から所要角度開閉できる開閉扉を有する収納構造であって、前記開閉扉もしくは前記収容凹部を構成する前面枠板には、台所用品等を吊持するためのフックが形成され、前記フックの下方位置における少なくとも前記前面枠板には緩衝部材が設けられ、台所用品等の一部が前記緩衝部材に当接可能になっていることを特徴とする前扉の収納構造。
【請求項３】
前記収容凹部を構成する前面枠板に、台所用品等を吊持するためのフックが形成され、前記フックは、ここに吊持される前記台所用品等が前記前面枠板側に安定するように傾斜が設けられている請求項２に記載の前扉の収納構造。
【請求項４】
前記前面枠板に設けられた緩衝部材に加えて、前記開閉扉にも緩衝部材が設けられ、前記開閉扉の閉扉状態において、吊持状態の台所用品等の一部が前記前後に配置された緩衝部材に対して互いに当接可能になっている請求項２または３に記載の前扉の収納構造。
【請求項５】
前記緩衝部材が、前記前面枠板もしくは開閉扉に対して水平方向に少なくとも一条設けられている請求項２ないし４のいずれかに記載の前扉の収納構造。
【請求項６】
前記緩衝部材が、水平方向に凹凸部を有しており、吊持状態の台所用品等の一部を前記凹凸部によって左右の移動を規制できるようになっている請求項５に記載の前扉の収納構造。
【請求項７】
前記緩衝部材の少なくとも一部が、前記開閉扉もしくは前記前面枠板に着脱可能に設けられている請求項２ないし６のいずれかに記載の前扉の収納構造。
【請求項８】
請求項１ないし７のいずれかに記載の前扉の収納構造を備えたことを特徴とするキッチン台。
【発明の詳細な説明】
【技術分野】
【０００１】
本発明は、流し台等における前扉の収納構造に関する。
【背景技術】
【０００２】
従来、流し台の引出しに収納される使用頻度の高い収納物を取り出し易いように、引出し本体の前面部に、引出し全体を引出すことなく開閉できる前面板を設け、この前面板に収納物を収納できる収納保持部を設けたものがある。（例えば、特許文献１参照）。
【０００３】
【特許文献１】特開２００３−１８９９５４号公報（第３頁、第４図）
【発明の開示】
【発明が解決しようとする課題】
【０００４】
しかしながら、特許文献１にあっては、収納保持部（収容凹部）内に何らかの収納物が収容されている状態で引出し全体が前後に移動され、所定位置で引出しの前後移動が急に停止すると、収納物の慣性力で収納物に揺動力が発生する。特に収納物が、吊持された台所用品等の場合、その揺動力によって特に台所用品等の先端近傍や中央部が前面板等に当たり、衝撃音のみならず騒音の問題がある。
【０００５】
本発明は、このような問題点に着目してなされたもので、収納保持部（収容凹部）内の収納物（台所用品）が、揺動されて前面板等に衝突することで起きる衝撃音等の発生を防ぐことができる前扉の収納構造を提供することを目的とする。
【課題を解決するための手段】
【０００６】
上記課題を解決するために、本発明の請求項１に記載の前扉の収納構造は、収容凹部を前方から所要角度開閉できる開閉扉を有する収納構造であって、前記開閉扉には、台所用品等を吊持するためのフックが形成され、前記フックの下方位置における前記開閉扉には緩衝部材が設けられ、台所用品等の一部が前記緩衝部材に当接可能になっていることを特徴としている。
この特徴によれば、フックの下方位置における開閉扉に緩衝部材が設けられているため、揺動力によって特に台所用品等の先端近傍や中央部が開閉扉方向に揺れても、台所用品等の一部が前記緩衝部材に当接することとなるため、衝撃音のみならず騒音等の発生を減少できる。
【０００７】
本発明の請求項２に記載の前扉の収納構造は、前方に引出し可能な引出しの前面部に収容凹部が形成され、前記収容凹部を前方から所要角度開閉できる開閉扉を有する収納構造であって、前記開閉扉もしくは前記収容凹部を構成する前面枠板には、台所用品等を吊持するためのフックが形成され、前記フックの下方位置における少なくとも前記前面枠板には緩衝部材が設けられ、台所用品等の一部が前記緩衝部材に当接可能になっていることを特徴としている。
この特徴によれば、フックの下方位置における少なくとも前面枠板に緩衝部材が設けられているため、揺動力によって特に台所用品等の先端近傍や中央部が前面枠板等方向に揺れても、台所用品等の一部が前記緩衝部材に当接することとなるため、衝撃音のみならず騒音等の発生を減少できる。
【０００８】
本発明の請求項３に記載の前扉の収納構造は、請求項２に記載の前扉の収納構造であって、前記収容凹部を構成する前面枠板に、台所用品等を吊持するためのフックが形成され、前記フックは、ここに吊持される前記台所用品等が前記前面枠板側に安定するように傾斜が設けられていることを特徴としている。
この特徴によれば、台所用品等の収納時、何時も台所用品等の一部が前記緩衝部材に当接する状態にあるため、衝撃音や騒音等を未然に防止できる。
【０００９】
本発明の請求項４に記載の前扉の収納構造は、請求項２または３に記載の前扉の収納構造であって、前記前面枠板に設けられた緩衝部材に加えて、前記開閉扉にも緩衝部材が設けられ、前記開閉扉の閉扉状態において、吊持状態の台所用品等の一部が前記前後に配置された緩衝部材に対して互いに当接可能になっていることを特徴としている。
この特徴によれば、吊持状態の台所用品等が、前後に配された緩衝部材に当接もしくは若干離れた状態で維持されるため、効果的に吊持状態の台所用品等の揺れを防止でき、衝撃音や騒音等の発生を減少できる。
【００１０】
本発明の請求項５に記載の前扉の収納構造は、請求項２ないし４のいずれかに記載の前扉の収納構造であって、前記緩衝部材が、前記前面枠板もしくは開閉扉に対して水平方向に少なくとも一条設けられていることを特徴としている。
この特徴によれば、多数の台所用品等を吊持した場合でも、それぞれの台所用品等が前面枠板に衝突して起こる衝撃音や騒音等の発生を減少できる。
【００１１】
本発明の請求項６に記載の前扉の収納構造は、請求項５に記載の前扉の収納構造であって、前記緩衝部材が、水平方向に凹凸部を有しており、吊持状態の台所用品等の一部を前記凹凸部によって左右の移動を規制できるようになっていることを特徴としている。
この特徴によれば、多数の台所用品等を吊持した場合でも、それぞれの台所用品等が互いに左右方向で衝突して起こる衝撃音や騒音等の発生を減少できる。
【００１２】
本発明の請求項７に記載の前扉の収納構造は、請求項２ないし６のいずれかに記載の前扉の収納構造であって、前記緩衝部材の少なくとも一部が、前記開閉扉もしくは前記前面枠板に着脱可能に設けられていることを特徴としている。
この特徴によれば、緩衝部材が汚れたり破損した場合であっても、緩衝部材を取り外して清掃したり、容易に新しい緩衝部材と取り換えたりすることができる。
【００１３】
本発明の請求項８に記載のキッチン台は、請求項１ないし７のいずれかに記載の前扉の収納構造を備えたことを特徴としている。
この特徴によれば、使用者がキッチン台で料理を行う際に、台所用品等を前扉の収納構造に収納しておくことで、台所用品等が前面枠板等に衝突することで起こる騒音等の発生を減少できる。
【発明を実施するための最良の形態】
【００１４】
本発明の実施例を以下に説明する。
【実施例１】
【００１５】
本発明の実施例を図面に基づいて説明すると、先ず図1は、本発明の実施例１における前扉の収納構造を示す斜視図である。以下、図１の左側を前方として説明すると、図１の符号１は、本発明の前扉の収納構造が適用された引出し本体であり、この引出し本体１、１’は、システムキッチン等におけるシンクの下方の空間に前方に引出せるように設けられている。
【００１６】
引出し本体１、１’は上下に２つ配置されており、これらの引出し本体１、１’は、皿や鍋等の収納物２を収納できる収納箱３、３’を有しているとともに、収納箱３、３’の前方には、前面部４、４’が取り付けられている。以下、上方に配置される引出し本体１について詳述すると、この引出し本体１の前面部４には、本実施例における開閉扉としての前扉５が設けられており、この前扉５は木材または合成樹脂等の材質で形成されていて、前扉５の下端は引出し本体１の前面部４を構成する前面枠板６に枢着され、揺動運動によって前扉５を手前に開くことができるようになっている。前面枠板６はアルミニウム合金等により形成されており、前面枠板６の前面側には、前扉５の閉扉状態の時に前扉５で覆われる収容凹部７が形成されている。
【００１７】
前面枠板６の上端には横長に形成された取手８が設けられ、収納箱３内の収納物２を取り出す際には、この取手８を掴むことで引出し本体１を前方へと引き出せるようになっている。また、前扉５の上端には横長に形成されたロック爪１０と連係された取手９が設けられており、この取手９を操作することで前扉５を前方に揺動開放させることができるようになっている。前扉５と前面枠板６間には、左右１対の折り畳み式のリンク部材１１が設けられており、前扉５が所要角度開放された際に、前扉５がリンク部材１１によって支持されるようになっている。
【００１８】
図１に示されるように、収容凹部７内の前面枠板６側には、複数の孔部１２が形成されており、この孔部１２に係合される複数のフック１３が、前面枠板６に取り付けられていて、これらのフック１３には、しゃもじ、おたま、フライ返し等の長物の台所用品１４が吊り下げられており、前面枠板６におけるフック１３の下方位置には、長手が水平方向に延びる一条の緩衝部材１５が設けられている。
【００１９】
図２（ａ）は、緩衝部材１５を示す斜視図であり、図２（ｂ）は、緩衝部材１５が前面枠板６に取り付けられた状態を示す側断面図である。図２（ａ）に示すように、緩衝部材１５はエラストマー等の材質で形成された軟質部１６と、ＡＢＳ樹脂等の材質で形成された硬質部１７とで構成されており、緩衝部材１５の軟質部１６は側面視で略く字形状をなし、軟質部１６と硬質部１７の間には、空洞２１が形成されるようになっている。
【００２０】
図２（ｂ）に示すように、前面枠板６には、上下２条の前方に突出する突出条１８が、左右方向に延びるように突設されており、上下２条の突出条１８の間には、側面視で略コ字形状の左右方向に長い係合溝１９が形成されている。緩衝部材１５の硬質部１７の後方には、前面枠板６に形成された係合溝１９に係合できる係合突起条２０が形成されており、この係合突起条２０によって、緩衝部材１５が前面枠板６の係合溝１９に着脱自在に取り付けられるようになっている。
【００２１】
図３は、前扉５が閉じられた状態を示す前面部４の側断面図であり、以下、図３の左側を前方として説明すると、前扉５は枢軸２２を介して揺動可能に前面枠板６に取り付けられており、取手９と連係されたロック爪１０が前扉５の上部後方に設けられ、前面枠板６側の上部前方には、ロック爪１０が係合されるロック孔２３が設けられている。
【００２２】
前扉５のロック爪１０が前面枠板６のロック孔２３に係合されることで、前扉５の閉鎖状態が維持されるようになっており、使用者が取手９を操作することでロック爪１０がロック孔２３から外れて前扉５を前方に揺動させることができ、収容凹部７が開放されるようになっている。前面枠板６の下部は後方に膨出されるように形成され、収容凹部７の下方の前後方向の幅は、上方の前後方向の幅より広くなっており、おたま等の台所用品１４の先端が前面枠板６に接触しないようになっている。
【００２３】
前面枠板６の上方に配置されたフック１３は係合部２４を有しており、この係合部２４が前面枠板６に形成された孔部１２に挿通されて係合されることで、フック１３は前面枠板６に取り付けられる。このフック１３は、前方に突出されたフック１３の先端部が高くなるように傾斜されており、フック１３に吊り下げられた台所用品１４は、フック１３が傾斜されることによって、常に前面枠板６側に寄るようになっている。前面枠板６におけるフック１３の下方位置には、前述したように緩衝部材１５が配置されており、フック１３に吊持状態の台所用品１４の中央部が当接されるようになっている。
【００２４】
長物の台所用品１４が、収容凹部７内に収納されている際に、使用者が前面枠板６上端の取手８を掴んで引出し本体１を前方に引出したり、後方に押したりしたときに、フック１３を中心として台所用品１４の先端近傍や中央部が前面枠板６の方向に揺れても、台所用品１４の中央部が、緩衝部材１５に当接されることとなるため、台所用品１４が金属製の前面枠板６に衝突されることを防ぐことができ、衝撃音や騒音等の発生を減少させることができるようになっている。尚、台所用品１４が前扉５に衝突しても、前扉５は木材または合成樹脂等の材質で形成されているため衝撃音が発生し難くなっている。
【００２５】
また、フック１３が傾斜され、台所用品１４が前面枠板６側に安定するようになっていることで、台所用品１４が収容凹部７に収納されたときに、いつも台所用品１４の一部が緩衝部材１５に当接されるため、台所用品１４が前面枠板６に衝突されるときの衝撃音等を未然に防止できるとともに、台所用品１４と緩衝部材１５との間に作用する摩擦力によって、台所用品１４の横揺れが発生し難くなっており、多数の台所用品１４同士が衝突されることで起こる衝撃音の発生を防げるようになっている。
【００２６】
更に、緩衝部材１５が前面枠板６に着脱できるため、緩衝部材１５が汚れたり破損した場合であっても、緩衝部材１５を取り外して清掃したり、容易に新しい緩衝部材１５と取り換たりすることができる。そして、緩衝部材１５の軟質部１６と硬質部１７との間に空洞２１が形成されることで、台所用品１４が緩衝部材１５に当接したときに、軟質部１６が弾性変形し易くなっており、台所用品１４が緩衝部材１５に衝突されることで起こる衝撃音を小さくすることができるようになっている。
【００２７】
緩衝部材１５が前面枠板６におけるフック１３の下方位置に長手が水平方向に延びるように設けられることによって、多数の台所用品１４を吊持した場合であっても、それぞれの台所用品１４が前面枠板６に衝突して起こる騒音等の発生を減少できるようになっている。
【００２８】
尚、上記実施例では、一条の緩衝部材１５が長物の台所用品１４の中央部に当接されるようになっていたが、本発明はこれに限定されるものではなく、台所用品１４の先端やその他の部位に当接されるように緩衝部材１５を配置してもよいし、台所用品１４の中央部と先端部の両方に当接されるように、上下に二条の複数の緩衝部材１５を設けてもよい。
【実施例２】
【００２９】
次に、実施例２に係る前扉の収納構造につき、図４を参照して説明する。なお、上記実施例と同一構成で重複する構成を省略する。
【００３０】
図４は、実施例２における前面部２６を示す側断面図であり、以下、図４の左側を前方として説明すると、引出し本体２５の収納箱２７の前方に設けられた前面部２６には、本実施例における開閉扉としての前扉２８が設けられており、前扉２８の下端は引出し本体２５の前面部２６を構成する前面枠板２９に枢着され、揺動運動によって前扉２８を手前に開くことができるようになっている。前扉２８と前面枠板２９は、共にアルミニウム合金等により形成されており、前面枠板２９の前面側には、前扉２８の閉扉状態の時に前扉２８で覆われる収容凹部３０が形成されている。
【００３１】
収容凹部３０内の前面枠板２９側には、複数のフック３１が取り付けられており、これらのフック３１には、長物の台所用品３２が吊り下げられている。また、前方に突出されたフック３１は略水平をなしており、台所用品３２はフック３１における前後方向の任意の位置で吊持されるようになっている。
【００３２】
前面枠板２９におけるフック３１の下方位置には、長手が水平方向に延びる一条の緩衝部材３３が設けられており、この緩衝部材３３は、前面枠板２９を貫通して形成された係合孔５２に取り付けられている。収容凹部３０内の前扉２８側には、前面枠板２９側に設けられている緩衝部材３３に対向する位置に、長手が水平方向に延びる一条の緩衝部材３４が接着剤等により取り付けられていて、前扉２８が閉扉状態のときに、これら二条の緩衝部材３３、３４は、前後方向から台所用品３２の中央部を挟持できるようになっている。
【００３３】
このように二条の緩衝部材３３、３４によって台所用品３２が前後方向から挟持されることで、前扉２８もしくは前面枠板２９から離れた状態で固定されるようになり、台所用品３２の揺れを防止でき、台所用品３２が金属製の前扉２８もしくは前面枠板２９に衝突されることで起こる衝撃音の発生を防ぐことができる。尚、台所用品３２が、前後に配置された緩衝部材３３、３４から若干離れた状態であっても効果的に吊持状態の台所用品３２の揺れを防止できる。
【実施例３】
【００３４】
次に、実施例３に係る前扉の収納構造につき、図５を参照して説明する。なお、上記実施例と同一構成で重複する構成を省略する。
【００３５】
図５は、実施例３における前面部３６を示す側断面図であり、以下、図５の左側を前方として説明すると、引出し本体３５の収納箱３７の前方に設けられた前面部３６には、本実施例における開閉扉としての前扉３８が設けられており、前扉３８の下端は引出し本体３５の前面部３６を構成する前面枠板３９に枢着され、揺動運動によって前扉３８を手前に開くことができるようになっている。前扉３８と前面枠板３９は、共にアルミニウム合金等により形成されており、前面枠板３９の前面側には、前扉３８の閉扉状態の時に前扉３８で覆われる収容凹部４０が形成されている。
【００３６】
収容凹部４０内の前扉３８側には、複数のフック４１が接着剤等によって取り付けられており、これらのフック４１には、長物の台所用品４２が吊り下げられていて、フック４１の先端が高くなるように傾斜されていることで、常に台所用品４２が前扉３８側に寄るようになっている。前扉３８におけるフック４１の下方位置には、長手が水平方向に延びる一条の緩衝部材４３が設けられており、この緩衝部材４３は、緩衝部材４３の軟質部４３ａが、接着剤等により前扉３８に固着された緩衝部材４３の硬質部４３ｂに係合されることで設けられている。前扉３８が閉扉状態のときに、この緩衝部材４３は台所用品４２の中央部に当接されるようになっている。
【００３７】
また、収容凹部４０内の前面枠板３９側には、前扉３８側に設けられている緩衝部材４３に対向する位置に、長手が水平方向に延びる一条の緩衝部材５１が設けられており、この緩衝部材５１は、緩衝部材５１の軟質部５１ａが、接着剤等により前面枠板３９に固着された緩衝部材５１の硬質部５１ｂに係合されることで設けられている。台所用品４２が前面枠板３９側に揺動されたときに、この緩衝部材５１に台所用品４２の中央部が当接されるようになっていて、台所用品４２が金属製の前面枠板３９に衝突されることを防ぐことができるようになっている。
【００３８】
更に詳述すると、長物の台所用品４２が、収容凹部４０内に収納されている際に、引出し本体１を前方に引出したり、後方に押したりして、フック４１を中心として台所用品４２の先端近傍や中央部が前扉３８の方向に揺れても、台所用品４２の中央部が緩衝部材４３に当接されることとなるため、台所用品４２が前扉３８に衝突されることを防ぐことができるとともに、前扉３８が揺動開放されて傾けられたときに、台所用品４２が緩衝部材４３に当接されるので、台所用品４２が金属製の前扉３８に衝突することで起こる衝撃音や騒音等の発生が減少されるようになっている。
【００３９】
尚、緩衝部材４３、５１の軟質部４３ａ、５１ａが、前扉３８及び前面枠板３９に固着された硬質部４３ｂ、５１ｂに係合されて着脱可能に設けられることで、緩衝部材４３、５１の軟質部４３ａ、５１ａが、汚れたり破損した場合であっても、軟質部４３ａ、５１ａを取り外して清掃したり、容易に新しい軟質部４３ａ、５１ａと取り換えたりすることができる。
【実施例４】
【００４０】
次に、実施例４に係る前扉の収納構造につき、図６を参照して説明する。なお、上記実施例と同一構成で重複する構成を省略する。
【００４１】
図６は、実施例４における緩衝部材４４を示す斜視図であり、以下、図６の手前を前方として説明すると、この緩衝部材４４は全体がエラストマー等の材質で形成されており、収容凹部内の前面枠板４５側に接着剤等を用いて取り付けられるようになっている。この緩衝部材４４には、本実施例における凹凸部としての平面視で略Ｌ字形状の突出部４６、４７が設けられており、この突出部４６、４７は緩衝部材４４の水平方向に複数配置されている。
【００４２】
各々の突出部４６、４７同士は、屈曲された先端が互いに対向するように配置され、緩衝部材４４の上方位置における前面枠板４５に設けられたフック４８に吊持される複数の長物の台所用品４９、５０の中央部が、突出部４６、４７同士の間に遊嵌されるようになっている。そのため、多数の台所用品４９、５０を吊持した場合であっても、それぞれの台所用品４９、５０が左右方向に揺れて互いに衝突して起こる衝撃音や騒音の発生を減少させることができる。
【実施例５】
【００４３】
次に、実施例５に係る前扉の収納構造につき、図７を参照して説明する。なお、上記実施例と同一構成で重複する構成を省略する。
【００４４】
図７は、実施例５における前扉の収納構造を示す斜視図であり、図７の符号５３は、システムキッチン等におけるシンクの下方の空間に形成された収容凹部であり、この収容凹部５３の前面側には、収容凹部５３を隠蔽することができる観音扉式の開閉扉５４が設けられている。この開閉扉５４は、水平方向に所要角度揺動できるようになっており、開閉扉５４の後面側には、複数のフック５５が取り付けられている。
【００４５】
これらのフック５５には、しゃもじ、おたま等の長物の台所用品５６が吊り下げられており、開閉扉５４の後面側におけるフック５５の下方位置には、長手が水平方向に延びる一条の緩衝部材５７が設けられている。この緩衝部材５７には、フック５５に吊持状態の台所用品５６の中央部が当接されるようになっている。
【００４６】
長物の台所用品５６が、開閉扉５４の後面側に設けられたフック５５に吊持されている際に、使用者が開閉扉５４を揺動運動により開閉させると、フック５５を中心として台所用品５６の先端近傍や中央部が開閉扉５４の方向に揺れるようになるが、台所用品５６の中央部が、緩衝部材５７に当接されることとなるため、台所用品５６が開閉扉５４に衝突されることを防ぐことができ、衝撃音や騒音等の発生を減少させることができるようになっている。
【００４７】
以上、本発明の実施例を図面により説明してきたが、具体的な構成はこれら実施例に限られるものではなく、本発明の要旨を逸脱しない範囲における変更や追加があっても本発明に含まれる。
【図面の簡単な説明】
【００４８】
【図１】実施例１における前扉の収納構造を示す斜視図である。
【図２】（ａ）は、緩衝部材を示す斜視図であり、（ｂ）は、緩衝部材が前面枠板に取り付けられた状態を示す側断面図である。
【図３】前扉が閉じられた状態を示す前面部の側断面図である。
【図４】実施例２における前面部を示す側断面図である。
【図５】実施例３における前面部を示す側断面図である。
【図６】実施例４における緩衝部材を示す斜視図である。
【図７】実施例５における前扉の収納構造を示す斜視図である。
【符号の説明】
【００４９】
１、１’          引出し本体
２                収納物
３、３’          収納箱
４、４’          前面部
５                前扉（開閉扉）
６                前面枠板
７                収容凹部
８、９            取手
１０              ロック爪
１１              リンク部材
１２              孔部
１３              フック
１４              台所用品
１５              緩衝部材
１６              軟質部
１７              硬質部
１８              突出条
１９              係合溝
２０              係合突起条
２１              空洞
２２              枢軸
２３              ロック孔
２４              係合部
２５              引出し本体
２６              前面部
２７              収納箱
２８              前扉（開閉扉）
２９              前面枠板
３０              収容凹部
３１              フック
３２              台所用品
３３、３４        緩衝部材
３５              引出し本体
３６              前面部
３７              収納箱
３８              前扉（開閉扉）
３９              前面枠板
４０              収容凹部
４１              フック
４２              台所用品
４３              緩衝部材
４３ａ            軟質部
４３ｂ            硬質部
４４              緩衝部材
４５              前面枠板
４６、４７        突出部（凹凸部）
４８              フック
４９、５０        台所用品
５１              緩衝部材
５１ａ            軟質部
５１ｂ            硬質部
５２              係合孔
５３              収容凹部
５４              開閉扉
５５              フック
５６              台所用品
５７              緩衝部材
【図１】
2005287694.tif 000003
【図２】
2005287694.tif 000004
【図３】
2005287694.tif 000005
【図４】
2005287694.tif 000006
【図５】
2005287694.tif 000007
【図６】
2005287694.tif 000008
【図７】
2005287694.tif 000009